(57)【要約】【課題】  多様な箇所に容易に取付可能な電線防護カバーを提供する。【解決手段】  断面が略Ｃ字の筒状で側面に開口２Ａを有する外筒体２と、断面が略Ｃ字の筒状で側面に開口３Ａを有し、外筒体２内に配設された内筒体３と、外筒体２の側面を貫通するネジ棒４と、を備える。外筒体２の開口２Ａと内筒体３の開口３Ａとが重なった状態で、内筒体３内に電線１００を挿入可能で、ネジ棒４を内筒体３側に押し込むと内筒体３の開口３Ａの両端縁部３ａ、３ａが接して、外筒体２の開口２Ａが閉じられる。【選択図】  図１
2019187013.tif 000002
【特許請求の範囲】
【請求項１】
断面が略Ｃ字の筒状で側面に開口を有する外筒体と、
断面が略Ｃ字の筒状で側面に開口を有し、前記外筒体内に配設された内筒体と、
前記内筒体を動かす可動手段と、
を備え、前記外筒体の開口と前記内筒体の開口とが重なった状態で、前記内筒体内に電線を挿入可能で、前記可動手段で前記内筒体を動かすことで前記外筒体の開口が前記内筒体によって閉じられる、
ことを特徴とする電線防護カバー。
【請求項２】
前記可動手段は、前記外筒体の側面を貫通するネジで構成され、該ネジを前記内筒体側に押し込むと前記内筒体の開口の両端縁部が接して、前記外筒体の開口が閉じられる、
ことを特徴とする請求項１に記載の電線防護カバー。
【請求項３】
前記可動手段は、前記外筒体側に設けられたピニオンと、前記内筒体側に設けられ前記ピニオンと噛合するラックとで構成され、前記ピニオンを所定方向に回すと前記内筒体が軸心周りに回転して、前記内筒体の側面によって前記外筒体の開口が閉じられる、
ことを特徴とする請求項１に記載の電線防護カバー。
【発明の詳細な説明】
【技術分野】
【０００１】
この発明は、電線を防護するための耐摩耗性の電線防護カバーに関する。
【背景技術】
【０００２】
樹木が成長して電線に接触すると、電線が損傷するおそれがあるため、電線に耐摩耗性の電線防護カバーを取り付ける場合がある。また、送電線の絶縁電線カバー装置として、絶縁性能がよいというものが知られている（例えば、特許文献１参照。）。このカバー装置は、送電線の周りに弾力性を有する絶縁シートを周方向に重複するようにして絶縁筒状体を形成し、重複部分に仮留め機能を有するとともに、重複部分に絶縁性接着剤を施したものである。
【先行技術文献】
【特許文献】
【０００３】
【特許文献１】特開２００７−１４１２３号公報
【発明の概要】
【発明が解決しようとする課題】
【０００４】
ところで、従来の電線防護カバーは、電線の長い直線部を保護するものが主であり、このような長尺の電線防護カバーと引留クランプカバーとの隙間を保護する電線防護カバーや、電線の縁部を保護する電線防護カバーなどがなかった。また、特許文献１に記載の絶縁電線カバー装置では、電線の周りに絶縁シートを巻き付けて重複部分を仮留めし、さらに、重複部分に絶縁性接着剤を施さなければならず、手間と時間を要するばかりでなく、例えば、長尺の電線防護カバーと引留クランプカバーとの隙間を保護する場合に、周囲環境などによっては、取り付けが困難な場合が生じ得る。
【０００５】
そこでこの発明は、多様な箇所に容易に取付可能な電線防護カバーを提供することを目的とする。
【課題を解決するための手段】
【０００６】
上記課題を解決するために、請求項１の発明は、断面が略Ｃ字の筒状で側面に開口を有する外筒体と、断面が略Ｃ字の筒状で側面に開口を有し、前記外筒体内に配設された内筒体と、前記内筒体を動かす可動手段と、を備え、前記外筒体の開口と前記内筒体の開口とが重なった状態で、前記内筒体内に電線を挿入可能で、前記可動手段で前記内筒体を動かすことで前記外筒体の開口が前記内筒体によって閉じられる、ことを特徴とする電線防護カバーである。
【０００７】
この発明によれば、外筒体の開口と内筒体の開口とが重なった状態で、内筒体内に電線を挿入し、次に、可動手段で内筒体を動かすと、外筒体の開口が内筒体によって閉じられて、電線の全周が外筒体と内筒体で覆われる。
【０００８】
請求項２の発明は、請求項１に記載の電線防護カバーにおいて、前記可動手段は、前記外筒体の側面を貫通するネジで構成され、該ネジを前記内筒体側に押し込むと前記内筒体の開口の両端縁部が接して、前記外筒体の開口が閉じられる、ことを特徴とする。
【０００９】
請求項３の発明は、請求項１に記載の電線防護カバーにおいて、前記可動手段は、前記外筒体側に設けられたピニオンと、前記内筒体側に設けられ前記ピニオンと噛合するラックとで構成され、前記ピニオンを所定方向に回すと前記内筒体が軸心周りに回転して、前記内筒体の側面によって前記外筒体の開口が閉じられる、ことを特徴とする。
【発明の効果】
【００１０】
請求項１の発明によれば、開口から電線を挿入して可動手段で内筒体を動かすだけの簡易な操作で、電線防護カバーを電線に取り付けることができるため、周囲環境などによらず多様な箇所に容易に取り付けることが可能となる。例えば、長尺の電線防護カバーと引留クランプカバーとの隙間や、電線の縁部などに対して、周囲環境などによらず容易に取り付けることが可能となる。
【００１１】
請求項２の発明によれば、ネジを内筒体側に押し込むだけで外筒体の開口が閉じられるため、多様な箇所により容易に取り付けることが可能となる。
【００１２】
請求項３の発明によれば、ピニオンを回すだけで外筒体の開口が閉じられるため、多様な箇所により容易に取り付けることが可能となる。
【図面の簡単な説明】
【００１３】
【図１】この発明の実施の形態１に係る電線防護カバーを示す断面図であり、（ａ）は、外筒体の開口が開いた状態を示し、（ｂ）は、外筒体の開口が閉じた状態を示す。
【図２】図１の電線防護カバーを示す正面図（ａ）と側面図（ｂ）である。
【図３】図１の電線防護カバーが取り付けられる電線箇所の例を示す図である。
【図４】この発明の実施の形態２に係る電線防護カバーを示す断面図であり、（ａ）は、外筒体の開口が開いた状態を示し、（ｂ）は、外筒体の開口が閉じた状態を示す。
【図５】図４の電線防護カバーの内筒体を示す平面図である。
【発明を実施するための形態】
【００１４】
以下、この発明を図示の実施の形態に基づいて説明する。
【００１５】
（実施の形態１）
図１〜図３は、この実施の形態を示し、図１は、この実施の形態に係る電線防護カバー１を示す断面図（図２のＡ−Ａ断面図）であり、（ａ）は、外筒体２の開口２Ａが開いた状態を示し、（ｂ）は、外筒体２の開口２Ａが閉じた状態を示す。この電線防護カバー１は、電線１００を防護するための耐摩耗性の筒状カバーであり、主として、外筒体２と、内筒体３と、ネジ棒（可動手段、ネジ）４と、を備える。ここで、この実施の形態では、図３に示すように、既製・既存の長尺の電線防護カバー（線路用防護カバー）１０１と引留クランプカバー１０２との隙間Ｓを防護する場合について、主として説明する。
【００１６】
外筒体２は、耐摩耗性が高く電気絶縁性の材料で形成され、断面が略Ｃ字の筒状で側面（外周面）に開口２Ａを有する。すなわち、図２に示すように、略円筒の側面に、軸方向に延びる開口２Ａが形成されたものであり、この開口２Ａの幅、大きさは、防護対象の電線１００を容易に挿入可能なように設定されている。また、開口２Ａに対向する側面中央部には、図１に示すように、側面・側壁を貫通するネジ孔（雌ネジ）２ａが形成されている。
【００１７】
内筒体３は、耐摩耗性が高く電気絶縁性の材料で形成され、断面が略Ｃ字の筒状で側面に開口３Ａを有する。すなわち、外筒体２と同様に、略円筒の側面に、軸方向に延びる開口３Ａが形成されたものであり、この開口３Ａの幅、大きさは、防護対象の電線１００を容易に挿入可能なように設定されている。また、内筒体３の外径・外形状は、外筒体２の内径・内形状よりもやや小さく設定され、外筒体２の軸線と内筒体３の軸線が平行になるように、外筒体２内に内筒体３が配設されている。
【００１８】
このような外筒体２と内筒体３の軸方向の長さは、略同寸法で、隙間Ｓに取り付けられるように短尺に設定されている。
【００１９】
ネジ棒４は、外筒体２の側面を貫通して、内筒体３を動かすネジである。すなわち、雄ネジ部４１と、この雄ネジ部４１の頂部に設けられた盤状のハンドル部４２とから構成され、雄ネジ部４１がネジ孔２ａに螺合されて外筒体２の側面を貫通している。また、ネジ部４１の先端部が、内筒体３の開口３Ａに対向する側面中央部に回転自在に連結されている。具体的には、例えば、内筒体３の側面中央部に凹状の嵌合部が形成され、この嵌合部にネジ部４１の先端部が回転自在に嵌合されている。このような連結によって、外筒体２の開口２Ａと内筒体３の開口３Ａとが重なった状態（同位置）となっている。
【００２０】
そして、図１（ａ）に示すように、雄ネジ部４１の先端部がネジ孔２ａ側に位置する引っ込んだ状態では、内筒体３の開口３Ａが広がって（開いて）外筒体２の開口２Ａが開き、開口２Ａ、３Ａから電線１００を内筒体３内に挿入できるようになっている。一方、図１（ｂ）に示すように、ネジ棒４を内筒体３側つまり外筒体２の中心側に押し込むと、外筒体２の内周面で押されて内筒体３が略円筒状に変形し、内筒体３の開口３Ａの両端縁部３ａ、３ａが接して（内筒体３が電線１００の全周を覆い）、外筒体２の開口２Ａが閉じられるようになっている。
【００２１】
このような構成の電線防護カバー１を線路用防護カバー１０１と引留クランプカバー１０２との隙間Ｓなどに取り付けるには、まず、ネジ棒４を外側に引いて内筒体３の開口３Ａを広げ、開口２Ａ、３Ａから電線１００を内筒体３内に挿入する。次に、ネジ棒４を内筒体３側に押し込むと、内筒体３の開口３Ａの両端縁部３ａ、３ａが接して、外筒体２の開口２Ａが閉じられ、電線１００の全周が外筒体２と内筒体３で覆われる。
【００２２】
このように、この電線防護カバー１によれば、開口２Ａ、３Ａから電線１００を挿入してネジ棒４で内筒体３を動かすだけの簡易な操作で、電線防護カバー１を電線１００に取り付けることができるため、周囲環境などによらず多様な箇所に容易に取り付けることが可能となる。例えば、線路用防護カバー１０１と引留クランプカバー１０２との隙間Ｓや、電線１００の縁部などに対して、周囲環境などによらず容易に取り付けることが可能となる。
【００２３】
しかも、ネジ棒４を内筒体３側に押し込むだけで外筒体２の開口２Ａが閉じられるため、多様な箇所により容易に取り付けることが可能となる。
【００２４】
（実施の形態２）
図４、図５は、この実施の形態を示し、図４は、この実施の形態に係る電線防護カバー１０を示す断面図であり、（ａ）は、外筒体５の開口５Ａが開いた状態を示し、（ｂ）は、外筒体５の開口５Ａが閉じた状態を示す。この実施の形態では、ラック６１ａとピニオン７３で可動手段が構成されている点で、実施の形態１と構成が異なり、主として、外筒体５と、内筒体６と、ピニオン棒７と、を備える。
【００２５】
外筒体５は、実施の形態１の外筒体２と同様に、耐摩耗性が高く電気絶縁性の材料で形成され、断面が略Ｃ字の筒状で側面に開口５Ａを有する。また、開口５Ａに対向する側面中央部には、側面・側壁を貫通する挿入孔５ａが形成されている。
【００２６】
内筒体６は、実施の形態１の内筒体３と同様に、耐摩耗性が高く電気絶縁性の材料で形成され、断面が略Ｃ字の筒状で側面に開口６Ａを有する。また、内筒体６の外径・外形状は、外筒体５の内径・内形状よりもわずかに小さく設定され、外筒体５の軸線と内筒体６の軸線が平行（略同心）になるように、外筒体５内に内筒体６が配設されている。さらに、内筒体６の側面には、図５に示すように、中央部から開口６Ａの一端縁側に円弧状に延びる長孔状のラック孔６１が形成され、このラック孔６１の一側面にラック（歯面）６１ａが形成されている。このラック６１ａの形状は、後述するピニオン７３と噛み合うように設定されている。
【００２７】
このような外筒体５と内筒体６の軸方向の長さは、略同寸法で、隙間Ｓに取り付けられるように短尺に設定されている。
【００２８】
ピニオン棒７は、外筒体５側に設けられ（外筒体５に対して相対的に動かず）、丸棒状の棒本体７１を備え、この棒本体７１が挿入孔５ａに軸心周りに回転自在に挿入されている。また、棒本体７１の一端側（内筒体６側）にはピニオン（小歯車）７３が設けられ、このピニオン７３がラック６１ａと噛み合っている。さらに、ピニオン７３の他端部（反棒本体７１側）には盤状のストッパ７４が設けられ、このストッパ７４と棒本体７１とで内筒体６を挟持した状態で、外筒体５と内筒体６とピニオン棒７が組み付けられている。一方、棒本体７１の他端側・頂部には、盤状のハンドル部７２が設けられている。
【００２９】
そして、図４（ａ）に示すように、ピニオン７３がラック６１ａの一端側（内筒体６の側面中央部側）に位置した状態では、外筒体５の開口５Ａと内筒体６の開口６Ａとが重なり、開口５Ａ、６Ａから電線１００を内筒体６内に挿入できるようになっている。一方、ピニオン棒７つまりピニオン７３を所定方向に回すと、ラック６１ａとの噛み合いによって内筒体６が軸心周りに閉方向に回転する。そして、ピニオン７３がラック６１ａの他端側（開口６Ａの一端縁側）に位置した状態では、図４（ｂ）に示すように、内筒体６の側面によって外筒体５の開口５Ａが閉じられるようになっている。さらに、ピニオン棒７を反所定方向に回すと、内筒体６が軸心周りに開方向（反閉方向）に回転して、図４（ａ）に示すように、外筒体５の開口５Ａと内筒体６の開口６Ａとが重なる、つまり、開口５Ａが開放されるようになっている。
【００３０】
このような構成の電線防護カバー１０を線路用防護カバー１０１と引留クランプカバー１０２との隙間Ｓなどに取り付けるには、まず、ピニオン棒７を反所定方向に回して外筒体５の開口５Ａと内筒体６の開口６Ａとが重なった状態にし、開口５Ａ、６Ａから電線１００を内筒体６内に挿入する。次に、ピニオン棒７を所定方向に回して内筒体６の側面で外筒体５の開口５Ａを閉じる。これにより、電線１００の全周が外筒体５と内筒体６で覆われる。
【００３１】
このように、この実施の形態によれば、ピニオン棒７を回すだけで外筒体５の開口５Ａが閉じられるため、多様な箇所により容易に取り付けることが可能となる。
【００３２】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、電線防護カバー１、１０の断面形状が略円形になっているが、防護対象や防護箇所などに応じて、他の断面形状にしてもよい。また、線路用防護カバー１０１と引留クランプカバー１０２との隙間Ｓを防護する場合について説明したが、その他の箇所、例えば、電線１００の長い直線部にも適用することができる。
【符号の説明】
【００３３】
１、１０  電線防護カバー
２        外筒体
２Ａ      開口
３        内筒体
３Ａ      開口
３ａ      端縁部
４        ネジ棒（可動手段、ネジ）
５        外筒体
６        内筒体
６１ａ    ラック（可動手段）
７        ピニオン棒
７３      ピニオン（可動手段）
１００    電線
【図１】
2019187013.tif 000003
【図２】
2019187013.tif 000004
【図３】
2019187013.tif 000005
【図４】
2019187013.tif 000006
【図５】
2019187013.tif 000007